(57)【要約】【課題】被監視者の安全性の確保と被監視者のプライバシーの確保とのバランスを適切に図ること。【解決手段】被監視者によって携帯される端末と該被監視者の異常の有無を監視する監視装置とを有する監視システムであって、前記監視装置は、被監視者の危険度を保持するリスクレベル管理テーブルを参照して前記被監視者の危険度を判定し、前記危険度を前記端末に送信し、前記端末より送信される位置情報を受信し、前記位置情報が前記危険度に応じて設定される所定期間の間変化しない場合に、前記被監視者に異常が発生したと判断し、異常が発生したと判断された場合に異常を検知した旨の情報を出力し、前記端末は、位置情報を検出し、前記危険度を受信し、前記位置情報の精度を前記危険度に応じて調節し、精度が調節された位置情報を前記監視装置に送信する。【選択図】図１
2010277444.tif 000002
【特許請求の範囲】
【請求項１】
被監視者によって携帯される端末と該被監視者の異常の有無を監視する監視装置とを有する監視システムであって、
前記監視装置は、
被監視者ごとの異常が発生する危険度を保持するリスクレベル管理テーブルを参照して、前記被監視者に異常が発生する危険度を判定する危険度判定部と、
前記危険度判定部において判定された前記危険度を、前記被監視者によって携帯される前記端末に送信する危険度情報送信部と、
前記端末より送信される位置情報を受信する位置情報受信部と、
前記位置情報受信部において受信された前記位置情報が、前記危険度に応じて設定される所定期間の間変化しない場合に、前記被監視者に異常が発生したと判断する異常検知部と、
前記異常検知部において異常が発生したと判断された場合に、異常を検知した旨の情報を出力する出力部とを有し、
前記端末は、
位置情報を検出する位置検出部と、
前記危険度情報送信部より送信される前記危険度を受信する危険度情報受信部と、
前記位置検出部において検出された前記位置情報の精度を、前記危険度情報受信部において受信された前記危険度に応じて調節する位置情報変換部と、
前記位置情報変換部において精度が調節された位置情報を前記監視装置に送信する位置情報送信部とを有する監視システム。
【請求項２】
前記異常検知部は、前記所定期間として、前記危険度が高いほど短い期間を設定すること、および、前記位置情報変換部は、前記位置情報の精度を、前記危険度が高いほど高い精度に調節すること、を特徴とする請求項１記載の監視システム。
【請求項３】
前記監視装置は、前記異常検知部による前記被監視者に異常が発生したとの判断が所定期間なされない場合に、該被監視者の前記危険度を低下させる危険度修正部を有し、
前記危険度情報送信部は、前記危険度修正部によって低下された前記危険度を、前記被監視者が携帯する前記端末に送信する請求項１又は２記載の監視システム。
【請求項４】
前記リスクレベル管理テーブルは、各被監視者について、複数の異常の種別ごとに、異常が発生する危険度を保持するとともに、各危険度は所定の危険度決定情報の変化に基づいて更新されること、
前記危険度判定部は、前記被監視者の前記異常の種別ごとに前記危険度を判定すること、および、
前記危険度情報送信部は、前記被監視者について、前記異常の種別ごとに判定された前記危険度の中で最も高い危険度を該被監視者が携帯する前記端末に送信すること、を特徴とする請求項１乃至３いずれか一項記載の監視システム。
【請求項５】
被監視者によって携帯される端末と、該被監視者の異常の有無を監視する監視装置と、位置情報変換装置とを有する監視システムであって、
前記監視装置は、
被監視者ごとの異常が発生する危険度を保持するリスクレベル管理テーブルを参照して、前記被監視者に異常が発生する危険度を判定する危険度判定部と、
前記危険度判定部において判定された危険度を、前記位置情報変換装置に送信する危険度情報送信部と、
前記位置情報変換装置より送信される、前記端末の位置情報を受信する位置情報受信部と、
前記位置情報受信部において受信された前記位置情報が、前記危険度に応じて設定される所定期間変化しない場合に、前記端末を携帯する被監視者に異常が発生したと判断する異常検知部と、
前記異常検知部において異常が発生したと判断された場合に、異常を検知した旨の情報を出力する出力部とを有し、
前記端末は、
位置情報を検出する位置検出部と、
前記位置検出部において検出された前記位置情報を、前記位置情報変換装置へ送信する位置情報送信部とを有し、
前記位置情報変換装置は、
前記監視装置の危険度情報送信部より送信される前記危険度を受信する危険度情報受信部と、
前記端末より送信される前記位置情報を受信する位置情報受信部と、
前記位置情報受信部において受信された前記位置情報の精度を、前記危険度情報受信部において受信された、前記危険度に応じて調節する位置情報変換部と、
前記位置情報変換部において精度が調節された位置情報を前記監視装置に送信する位置情報送信部とを有する監視システム。
【請求項６】
被監視者によって携帯される端末から送信される該端末の位置情報に基づいて該被監視者の異常の有無を監視する監視装置であって、
被監視者ごとの異常が発生する危険度を保持するリスクレベル管理テーブルを参照して、前記被監視者に異常が発生する危険度を判定する危険度判定部と、
前記端末より送信される位置情報を受信する位置情報受信部と、
前記位置情報受信部において受信した前記位置情報の精度を、前記危険度判定部において判定された前記危険度に応じて調節する位置情報変換部と、
前記位置情報変換部において精度が調節された前記位置情報が、前記危険度に応じて設定される所定期間変化しない場合に、前記被監視者に異常が発生したと判断する異常検知部と、
前記異常検知部において異常が発生したと判断された場合に、異常を検知した旨の情報を出力する出力部、
とを有する監視装置。
【請求項７】
被監視者によって携帯される端末と該被監視者の異常の有無を監視する監視装置とを有する監視システムが実行する監視方法であって、
前記監視装置は、
被監視者ごとの異常が発生する危険度を保持するリスクレベル管理テーブルを参照して、前記被監視者に異常が発生する危険度を判定する危険度判定手順と、
前記危険度判定手順において判定された前記危険度を、前記被監視者によって携帯される前記端末に送信する危険度情報送信手順と、
前記端末より送信される位置情報を受信する位置情報受信手順と、
前記位置情報受信手順において受信された前記位置情報が、前記危険度に応じて設定される所定期間の間変化しない場合に、前記被監視者に異常が発生したと判断する異常検知手順と、
前記異常検知手順において異常が発生したと判断された場合に、異常を検知した旨の情報を出力する出力手順とを実行し、
前記端末は、
位置情報を検出する位置検出手順と、
前記危険度情報送信手順において送信される前記危険度を受信する危険度情報受信手順と、
前記位置検出手順において検出された前記位置情報の精度を、前記危険度情報受信手順において受信された前記危険度に応じて調節する位置情報変換手順と、
前記位置情報変換手順において精度が調節された位置情報を前記監視装置に送信する位置情報送信手順とを実行する監視方法。
【請求項８】
被監視者によって携帯される端末と、該被監視者の異常の有無を監視する監視装置と、位置情報変換装置とを有する監視システムが実行する監視方法であって、
前記監視装置は、
被監視者ごとの異常が発生する危険度を保持するリスクレベル管理テーブルを参照して、前記被監視者に異常が発生する危険度を判定する危険度判定手順と、
前記危険度判定手順において判定された危険度を、前記位置情報変換装置に送信する危険度情報送信手順と、
前記位置情報変換装置より送信される、前記端末の位置情報を受信する位置情報受信手順と、
前記位置情報受信手順において受信された前記位置情報が、前記危険度に応じて設定される所定期間変化しない場合に、前記端末を携帯する被監視者に異常が発生したと判断する異常検知手順と、
前記異常検知手順において異常が発生したと判断された場合に、異常を検知した旨の情報を出力する出力手順とを実行し、
前記端末は、
位置情報を検出する位置検出手順と、
前記位置検出手順において検出された前記位置情報を、前記位置情報変換装置へ送信する位置情報送信手順とを実行し、
前記位置情報変換装置は、
前記監視装置の危険度情報送信手順において送信される前記危険度を受信する危険度情報受信手順と、
前記端末より送信される前記位置情報を受信する位置情報受信手順と、
前記位置情報受信手順において受信された前記位置情報の精度を、前記危険度情報受信手順において受信された、前記危険度に応じて調節する位置情報変換手順と、
前記位置情報変換手順において精度が調節された位置情報を前記監視装置に送信する位置情報送信手順とを実行する監視方法。
【請求項９】
被監視者によって携帯される端末から送信される該端末の位置情報に基づいて該被監視者の異常の有無を監視する監視装置が実行する監視方法であって、
被監視者ごとの異常が発生する危険度を保持するリスクレベル管理テーブルを参照して、前記被監視者に異常が発生する危険度を判定する危険度判定手順と、
前記端末より送信される位置情報を受信する位置情報受信手順と、
前記位置情報受信手順において受信した前記位置情報の精度を、前記危険度判定手順において判定された前記危険度に応じて調節する位置情報変換手順と、
前記位置情報変換手順において精度が調節された前記位置情報が、前記危険度に応じて設定される所定期間変化しない場合に、前記被監視者に異常が発生したと判断する異常検知手順と、
前記異常検知手順において異常が発生したと判断された場合に、異常を検知した旨の情報を出力する出力手順、
とを有する監視方法。
【発明の詳細な説明】
【技術分野】
【０００１】
本発明は、監視システム、監視装置、及び監視方法に関し、特に作業者が携帯する端末の位置情報を監視して作業者の異常を検知する監視システム、監視装置、及び監視方法に関する。
【背景技術】
【０００２】
圃場（農場）や工場等、過酷な環境下で作業を行う作業者の健康管理は、作業の効率向上や福利厚生等の観点から重要である。例えば、農業における高温環境（夏季、ビニールハウス内）では熱射病の危険性、強風又は大雨の場合の作業事故の危険性などが考えられる。特に農業では農業従事者の高齢化が進んでいるため、トラクタの転倒事故などが多く発生している。
【０００３】
このような問題に対して、被監視者に端末を携帯させ、当該端末の現在位置を監視することで、被監視者の異常を検知する技術がある（例えば、特許文献１）。
【０００４】
しかし、このような方法で異常検知を行う場合、プライバシーの確保が困難である。すなわち、各人の現在位置などの個人の秘密に関わる情報がシステムによって常に監視されていることにより、各人のプライバシーが容易に侵されることが懸念される。例えば、業務以外の作業や行動（例えば農作業では休憩などの行為）はなるべく知られないことが望ましい。
【０００５】
現在位置を監視することによってプライバシーが損なわれることに関して、事故の発生時等、必要時以外は位置情報の精度を低下させる技術がある（例えば、特許文献２）。
【先行技術文献】
【特許文献】
【０００６】
【特許文献１】特開２００８−３９９２号公報
【特許文献２】特開２００５−５０００５号公報
【発明の概要】
【発明が解決しようとする課題】
【０００７】
しかしながら、特許文献２に記載された技術は自動車に関するものであるところ、作業者の異常は、自動車の事故と同様に検知することは困難である。すなわち、人体の異常を検知するための各種の計測器（例えば、体温、脈拍、及び血圧等の計測器等）を作業者に装備させるのは作業の妨げになるばかりでなく、作業者に不快感を与え現実的ではない。
【０００８】
そうすると、作業者に携帯させた端末の位置情報に基づいて異常を検知するのが現実的な解の一つであると考えられる。この場合、異常を検知するための情報は位置情報であるため、特許文献２のように事故の発生後に位置情報の精度を低下させたのでは異常の検知を適切に行うことはできないという問題がある。
【０００９】
本発明は、上記の点に鑑みてなされたものであって、被監視者の安全性の確保と被監視者のプライバシーの確保とのバランスを適切に図ることができる監視システム、監視装置、及び監視方法の提供を目的とする。
【課題を解決するための手段】
【００１０】
そこで上記課題を解決するため、被監視者によって携帯される端末と該被監視者の異常の有無を監視する監視装置とを有する監視システムであって、前記監視装置は、被監視者ごとの異常が発生する危険度を保持するリスクレベル管理テーブルを参照して、前記被監視者に異常が発生する危険度を判定する危険度判定部と、前記危険度判定部において判定された前記危険度を、前記被監視者によって携帯される前記端末に送信する危険度情報送信部と、前記端末より送信される位置情報を受信する位置情報受信部と、前記位置情報受信部において受信された前記位置情報が、前記危険度に応じて設定される所定期間の間変化しない場合に、前記被監視者に異常が発生したと判断する異常検知部と、前記異常検知部において異常が発生したと判断された場合に、異常を検知した旨の情報を出力する出力部とを有し、前記端末は、位置情報を検出する位置検出部と、前記危険度情報送信部より送信される前記危険度を受信する危険度情報受信部と、前記位置検出部において検出された前記位置情報の精度を、前記危険度情報受信部において受信された前記危険度に応じて調節する位置情報変換部と、前記位置情報変換部において精度が調節された位置情報を前記監視装置に送信する位置情報送信部とを有する。
【発明の効果】
【００１１】
被監視者の安全性の確保と被監視者のプライバシーの確保とのバランスを適切に図ることができる。
【図面の簡単な説明】
【００１２】
【図１】本発明の実施の形態における作業者監視システムの構成例を示す図である。
【図２】本発明の実施の形態における監視サーバのハードウェア構成例を示す図である。
【図３】本発明の実施の形態における作業者端末のハードウェア構成例を示す図である。
【図４】作業者監視システムの処理手順の概要を説明するためのシーケンス図である。
【図５】リスクレベル管理テーブルの構成例を示す図である。
【図６】位置情報の変換処理の一例を説明するための図である。
【図７】位置情報変換テーブルの構成例を示す図である。
【図８】リスクレベルの判定処理の処理手順を説明するためのフローチャートである。
【図９】環境情報記憶部の構成例を示す図である。
【図１０】作業者属性記憶部の構成例を示す図である。
【図１１】作業情報記憶部の構成例を示す図である。
【図１２】熱射病のリスクレベルの判定処理を説明するための図である。
【図１３】トラクタ転倒事故のリスクレベルの判定処理を説明するためのフローチャートである。
【図１４】リスクレベルの修正処理の処理手順を説明するためのフローチャートである。
【図１５】異常発生の検知処理の処理手順を説明するためのフローチャートである。
【図１６】異常検知判断テーブルの構成例を示す図である。
【図１７】本発明の実施の形態における作業者監視システムの第二の構成例を示す図である。
【発明を実施するための形態】
【００１３】
以下、図面に基づいて本発明の実施の形態を説明する。図１は、本発明の実施の形態における作業者監視システムの構成例を示す図である。
【００１４】
同図において、作業者監視システム１は、監視サーバ１０及び一台以上の作業者端末２０等を有する。監視サーバ１０は、作業者端末２０の位置等を監視し、作業者の異常の検知等を行うコンピュータである。作業者端末２０は、各作業者によって携帯可能な端末であり、主として作業者端末２０の位置情報を無線通信によって監視サーバ１０に送信する。作業者端末２０は、市販されている携帯電話やＰＤＡ（Personal Digital Assistance）等が利用されてもよいし、専用の端末が利用されてもよい。
【００１５】
なお、本実施の形態では、作業者監視システム１を圃場（農場）に適用した例について説明する。したがって、被監視者は、圃場において作業を行う作業者である。但し、作業者監視システム１の適用対象は圃場に限定されない。
【００１６】
監視サーバ１０は、リスクレベル判定部１１、リスクレベル修正部１２、リスクレベル送信部１３、異常検知部１４、環境情報記憶部１５、作業者属性記憶部１６、作業情報記憶部１７、リスクレベル管理テーブル１８、及び異常検知判断テーブル１９等を有する。
【００１７】
環境情報記憶部１５は、監視サーバの記憶装置において、環境情報が記憶される記憶領域である。環境情報は、例えば、圃場に設置された各種センサーより刻々と（リアルタイム入力される。環境情報の一例としては、気温、湿度、雨量、風速等が挙げられる。作業者属性記憶部１６は、監視サーバの記憶装置において、作業者ごとの属性情報（作業者属性情報）が記憶される記憶領域である。作業者属性情報の一例としては、名前、年齢、既往歴等が挙げられる。作業者属性情報は予め入力される。作業情報記憶部１７は、監視サーバの記憶装置において、作業者ごとの行動内容（作業スケジュール等の作業内容）を示す情報（作業情報）が記憶される記憶領域である。作業情報の一例としては、トラクタの利用の有無が挙げられる。作業情報は、例えば、作業内容が決定されるたびに入力される。なお、作業者属性情報及び作業情報は、監視サーバ１０に接続された入力装置（後述される、入力装置１０７）より直接入力されてもよいし、監視サーバ１０とネットワークを介して接続されるＰＣ（Personal Computer）等より遠隔的に入力されてもよい。
【００１８】
リスクレベル判定部１１は、環境情報、作業者属性情報、及び作業情報等（以下、「危険度決定情報」という。）に基づいて、作業者ごとに、かつ、作業者の異常状態の項目又は種別（以下、「リスク項目」または「異常の種別」という。）ごとに、作業中のリスクレベルを判定する。判定されたリスクレベルは、作業者ごと及びリスク項目ごとにリスクレベル管理テーブル１８に記録される。すなわち、リスクレベル管理テーブル１８は、監視サーバ１０の記憶装置を用いてリスクレベルを管理するテーブルである。リスクレベルとは、作業者に異常が発生する危険性の度合い（危険度）を示す指標である。環境情報の内容は刻々と変化するため、リスクレベルの判断は、繰り返し（例えば、定期的に）実行される。したがって、環境情報等、動的に変化する情報に依存するリスク項目のリスクレベルは時間の経過に応じて変化しうる。
【００１９】
リスクレベル修正部１２は、リスクレベル判定部１１によって判定されたリスクレベルについて、値の判定後、所定時間経過しても異常の発生が検知されなかった場合に値を低下させる。所定時間経過しても異常が検知されなかったということは、作業者はその後も異常状態にならない可能性が高いため、リスクレベルを下げてもよいと考えられるからである。
【００２０】
リスクレベル送信部１３は、リスクレベル判定部１１によってリスク項目ごとに判定されたリスクレベルの最大値を該当する作業者の作業者端末２０に送信する。異常検知部１４は、作業者端末２０より送信される作業者端末２０の位置情報と異常検知判断テーブル１９とに基づいて、作業者に関する異常の発生を検知する。異常を検知した場合、異常検知部１４は、異常を検知した旨を表示装置に表示させる。異常検知判断テーブル１９は、監視サーバ１０の記憶装置に形成されたテーブルであり、異常か否かを判断するための判断基準を示す情報が予め登録されている。
【００２１】
作業者端末２０は、位置情報検出部２１、リスクレベル受信部２２、位置情報変換部２３、位置情報送信部２４、及び位置情報変換テーブル２５等を有する。
【００２２】
位置情報検出部２１は、作業者端末２０の位置を示す情報（位置情報）を検出する。リスクレベル受信部２２は、監視サーバ１０より送信されるリスクレベル（当該作業者端末２０に係る作業者に関するリスクレベル）を受信する。位置情報変換部２３は、位置情報変換テーブル２５を用いて、位置情報の精度をリスクレベルに応じて調節（変換）する（位置情報を、リスクレベルが高いほど高い精度の位置情報に変換する）。位置情報変換テーブル２５は、作業者端末２０の記憶装置において、位置情報の精度を変換するための情報が登録されているテーブルである。位置情報送信部２４は、位置情報変換部２３によって変換された精度による位置情報を異常検知部１４に送信する。
【００２３】
図２は、本発明の実施の形態における監視サーバのハードウェア構成例を示す図である。図２の監視サーバ１０は、それぞれバスBで相互に接続されているドライブ装置１００と、補助記憶装置１０２と、メモリ装置１０３と、ＣＰＵ１０４と、通信インタフェース装置１０５と、表示装置１０６と、入力装置１０７と、タイマー１０８とを有する。
【００２４】
監視サーバ１０での処理を実現するプログラムは、ＣＤ−ＲＯＭ等の記録媒体１０１によって提供される。プログラムを記録した記録媒体１０１がドライブ装置１００にセットされると、プログラムが記録媒体１０１からドライブ装置１００を介して補助記憶装置１０２にインストールされる。但し、プログラムのインストールは必ずしも記録媒体１０１より行う必要はなく、ネットワークを介して他のコンピュータよりダウンロードするようにしてもよい。補助記憶装置１０２は、インストールされたプログラムを格納すると共に、必要なファイルやデータ等を格納する。
【００２５】
メモリ装置１０３は、プログラムの起動指示があった場合に、補助記憶装置１０２からプログラムを読み出して格納する。ＣＰＵ１０４は、メモリ装置１０３に格納されたプログラムに従って監視サーバ１０に係る機能を実現する。通信インタフェース装置１０５は、ネットワークに接続するためのインタフェースとして用いられる。当該ネットワークは、作業者端末２０が無線通信に利用するアクセスポイントに接続されている。表示装置１０６はプログラムによるＧＵＩ（Graphical User Interface）等を表示する。入力装置１０７はキーボード及びマウス等であり、様々な操作指示を入力させるために用いられる。タイマー１０８は、いわゆるタイマー（時計）であり、時間の計測を行う。
【００２６】
図３は、本発明の実施の形態における作業者端末のハードウェア構成例を示す図である。図３において、作業者端末２０は、ＲＯＭ２０１、不揮発性ＲＡＭ２０２、ＲＡＭ２０３、ＣＰＵ２０４、通信インタフェース２０５、表示装置２０６、入力装置２０７、及び位置検出装置２０８等を有するように構成される。
【００２７】
作業者端末２０での処理を実行させるプログラムは、ＲＯＭ２０１又は不揮発性ＲＡＭ２０２にインストールされる。例えば、当該プログラムが、作業者端末２０の出荷時に予めインストールされる場合はＲＯＭ２０１に格納されるのが一般的である。また、当該プログラムが通信インタフェース装置２０５を介した無線通信によってインターネット等を介してダウンロードされて利用される場合は、不揮発性ＲＡＭ２０２に格納される。なお、ＲＯＭ２０１や不揮発性ＲＡＭ２０２には、当該プログラム以外に、当該プログラムが用いる各種データも格納され得る。ＲＡＭ２０３は、プログラムの起動指示があった場合に、ＲＯＭ２０１又は不揮発性ＲＡＭ２０２から読み出されたプログラム等を格納する。ＣＰＵ２０４は、ＲＡＭ２０３に格納されたプログラムに従って作業者端末２０に係る後述される機能を実行する。通信インタフェース装置２０５は、無線通信を行うためのアンテナや無線通信モジュール等が含まれる。表示装置２０６は、プログラムによって出力される各種情報を表示させる。入力装置２０７は、ボタン等によって構成され、ユーザからの入力指示を受け付ける。位置検出装置２０８は、作業者端末２０の現在位置を検出するための装置であり、例えば、ＧＰＳ（Global Positioning System）衛生より電波を受信することにより位置を検出するＧＰＳ受信機が相当する。または、無線通信に利用しているアクセスポイントに基づいて現在位置を検出するようにしてもよい。更に、ＲＦＩＤ（Radio Frequency Identification）を利用して現在位置を検出するようにしてもよい。
【００２８】
以下、作業者監視システム１の処理手順について説明する。図４は、作業者監視システムの処理手順の概要を説明するためのシーケンス図である。
【００２９】
ステップＳ１０１において、監視サーバ１０のリスクレベル判定部１１は、環境情報、作業者属性情報、及び作業情報に基づいて、作業者ごと及びリスク項目ごとにリスクレベルを判定し、判定結果をリスクレベル管理テーブル１８に出力する。
【００３０】
図５は、リスクレベル管理テーブルの構成例を示す図である。同図において、リスクレベル管理テーブル１８には、作業者ごと及びリスク項目ごとにリスクレベルが記録されている。すなわち、列方向における、Ａ、Ｂ、Ｃ等は、作業者ＩＤを示す。作業者ＩＤは、作業者ごとに割り当てられた識別子である。また、行方向における、熱射病、脳梗塞、及びトラクタ転倒事故等は、リスク項目の一例を示す。本実施の形態において、リスクレベルは、レベル０（リスク無し）、レベル１（リスク低）、レベル２（リスク中）、レベル３（リスク高）のの４段階の値をとることとする。但し、リスクレベルの表現方法は、作業者監視システム１を適用する作業等に応じて適宜選択すればよい。なお、リスクレベル管理テーブル１８の最終行には、作業者ごとに全てのリスク項目に対するリスクレベルの中の最大値（最大リスクレベル）が記録される。すなわち、リスクレベル判定部１１は、ステップＳ１０１において、作業者ごとに最大リスクレベルをも判定し、リスクレベル管理テーブル１８に記録する。
【００３１】
続いて、リスクレベル送信部１３は、各作業者の作業者端末２０に、当該作業者の最大リスクレベルを送信する（Ｓ１０２）。なお、各作業者の作業者端末２０の識別子（端末アドレス）は、後述されるように作業者属性記憶部１６に登録されている。したがって、リスクレベル送信部１３は、作業者ごとに登録されている端末アドレス宛に各作業者の最大リスクレベルを送信する。各作業者端末２０のリスクレベル受信部２２は、最大リスクレベルを受信し、ＲＡＭ２０２に記録しておく。
【００３２】
作業者端末２０において、位置情報検出部２１は、位置検出装置２０８を用いて作業者端末２０の現在位置の位置情報（例えば、緯度及び経度）を検出すると、当該位置情報を位置情報変換部２３に入力する（Ｓ１０３）。続いて、位置情報変換部２３は、入力された位置情報を変換し、変換結果の位置情報を位置情報送信部２４に入力する（Ｓ１０４）。
【００３３】
図６は、位置情報の変換処理の一例を説明するための図である。同図において圃場Ｆは、８つのエリア（ブロック）に分割されている。垂直方向の境界線に対して付されたｘ１〜ｘ３と、水平方向の境界線に対して付されたｙ１〜ｙ５は、それぞれ、経度又は緯度を示す。点Ｐは、位置情報検出部２１によって検出された位置情報に係る位置である。位置情報変換部２３は、点Ｐの位置情報（緯度及び経度）を、ＲＡＭ２０２に記録されている最大リスクレベルに応じてエリア単位又は複数のエリアを含むエリア単位の位置情報に変換する。当該変換において、位置情報変換部２３は、位置情報変換テーブル２５を利用する。
【００３４】
図７は、位置情報変換テーブルの構成例を示す図である。同図の位置情報変換テーブル２５において、列方向は、図６の最小単位のエリアごとに位置情報の範囲によって分類されている。行方向は、最大リスクレベルによって分類されている。すなわち、位置情報変換テーブル２５には、位置情報の範囲ごと及びリスクレベルごとに変換後の位置情報（エリア情報）が登録されている。例えば、点Ｐについては、最大リスクレベルが２、１、０に応じて、エリアＡ、エリアＡＢ、エリアＡＤに変換される。エリアＡＢは、エリアＡ及びＢを含む領域である。エリアＡＤは、エリアＡ、Ｂ、Ｃ、Ｄを含む領域である。以上より明らかなように、リスクレベルが低い程、変換後の位置情報の精度は低下する。リスクレベルが低い場合に位置情報の精度を低下させることで、作業者のプライバシーを保護することが可能となる。
【００３５】
ところで、図７では、リスクレベルレベルが３の場合について変換後の位置情報は登録されていない。これは、リスクレベルが３の場合は、位置情報の変換は行わないことを示す。すなわち、リスクレベルが３の場合には、作業者に異常が発生するリスクが非常に高いため、プライバシーの確保より作業者の安全を優先して詳細な位置情報に基づいた異常検知を行うことが望ましいと考えるからである。したがって、位置情報変換テーブル２５を利用する場合、位置情報変換部２３は、位置情報の変換は行わない。
【００３６】
なお、変換が行われた場合、変換結果としての位置情報（エリア情報）は、例えば、各エリアに付与された識別子（エリアＩＤ）であってもよいし、各エリアの緯度及び経度の範囲情報であってもよい。
【００３７】
続いて、位置情報送信部２４は、入力された位置情報と当該作業者端末２０を携帯している作業者の作業者ＩＤとを監視サーバ１０の異常検知部１４に送信する（Ｓ１０５）。当該作業者ＩＤは、例えば、不揮発性ＲＡＭ２０３に予め記録されている。続いて、異常検知部１４は、当該位置情報に基づいて異常の発生の有無を判定する（Ｓ１０６）。より詳しくは、位置情報は、繰り返し（例えば、定期的に）受信される。異常検知部１４は、繰り返し受信される位置情報が所定時間変化しない場合は、異常が発生したと判定する。
【００３８】
なお、図４では、便宜上、ステップＳ１０１〜Ｓ１０６をステップ番号の順番で説明した。しかし、図４の各ステップは、同図に示される破線による矩形の単位で非同期に（独立して）繰り返し実行されている。
【００３９】
続いて、ステップＳ１０１の詳細について説明する。図８は、リスクレベルの判定処理の処理手順を説明するためのフローチャートである。
【００４０】
ステップＳ２０１において、リスクレベル判定部１１は、環境情報記憶部１５より環境情報を取得する。
【００４１】
図９は、環境情報記憶部の構成例を示す図である。同図では、気温、雨量、及び風速等が環境情報として例示されている。リスクレベルの判断に利用する環境情報は、作業内容等に応じて適宜選択すればよい。
【００４２】
続いて、リスクレベル判定部１１は、未処理の作業者の一人分の作業者属性情報及び作業情報を作業者属性記憶部１６又は作業情報記憶部１７より取得する（Ｓ２０２）。ここで、未処理の作業者とは、図８の処理において処理対象とされていない作業者をいう。したがって、最初は全ての作業者が未処理の作業者である。
【００４３】
図１０は、作業者属性記憶部の構成例を示す図である。同図において、作業者属性記憶部１６には、作業者ごとに作業者属性情報が記憶されている。同図の作業者属性情報は、作業者ＩＤ、名前、年齢、既往歴、及び端末アドレス等の項目を有する。作業者ＩＤは、作業者の識別子である。名前は、作業者の名前である。年齢は、作業者の年齢である。既往歴は、作業者の既往歴である。端末アドレスは、作業者端末２０に関する通信用の識別情報（例えば、ＩＰアドレス等）である。
【００４４】
また、図１１は、作業情報記憶部の構成例を示す図である。同図において、作業情報記憶部１７には、作業者ごとに、１日の作業内容を示す情報（作業情報）が記憶されている。同図の作業情報は、トラクタ利用及び農薬散布等の項目を有する。トラクタ利用は、トラクタの利用の有無を示す項目である。農薬散布は、農薬散布作業有無を示す項目である。各項目について、作業の有無だけでなく作業時間が特定されていてもよい。例えば、トラクタ利用については、トラクタの利用予定時間が登録されていてもよい。同様に、農薬散布については、農薬散布の作業予定時間が登録されていてもよい。作業情報を構成する項目は、作業内容等に応じて適宜選択すればよい。
【００４５】
なお、ステップＳ２０１において作業者属性情報及び作業情報が取得された作業者を、以下「カレント作業者」という。
【００４６】
続いて、リスクレベル判定部１１は、未処理のリスク項目を処理対象とする（Ｓ２０３）。例えば、リスクレベル管理テーブル１８に列挙されているリスク項目の中で、図８の処理対象とされていないリスク項目が一つ処理対象とされる。以下、処理対象とされたリスク項目を「カレントリスク項目」という。
【００４７】
続いて、リスクレベル判定部１１は、カンレント作業者のカレントリスク項目についてリスクレベルを判定し、判定結果としてのリスクレベルをリスクレベル管理テーブル１８に記録する（Ｓ２０４）。続いて、リスクレベル判定部１１は、リスクレベル修正部１２を呼び出し、カレント作業者のカレントリスク項目に関するリスクレベル修正処理を開始させる（Ｓ２０５）。ステップＳ２０４及びＳ２０５の詳細については後述する。
【００４８】
ステップＳ２０３〜Ｓ２０５は、全てのリスク項目について繰り返し実行される（Ｓ２０６）。その結果、カレント作業者に関して全てのリスク項目のリスクレベルが判定される。全てのリスク項目に対する処理が完了すると（Ｓ２０６でＹｅｓ）、リスクレベル判定部１１は、カンレント作業者の最大リスクレベルをリスクレベル管理テーブル１８に記録する（Ｓ２０７）。
【００４９】
ステップＳ２０２〜Ｓ２０７は、全ての作業者について繰り返し実行される（Ｓ２０８）。その結果、リスクレベル管理テーブル１８の状態は、図５に示されるようになる。全ての作業者に関して処理が完了すると（Ｓ２０８でＹｅｓ）、図８の処理は終了する。なお、図８の処理は、例えば、定期的に実行される。または、環境情報が変化したときに実行されてもよい。更に、作業情報に時間的要素が含まれている場合（すなわち、各項目の作業予定時間が特定されている場合）、作業の予定開始時刻の到来に応じて実行されてもよい。但し、当該予定開始時刻は、作業者ごとに異なる。したがって、作業の予定開始時刻の到来に応じて図８の処理を実行する場合、当該作業を行う作業者のみを処理対象としてもよい。
【００５０】
続いて、ステップＳ２０４の処理（リスクレベルの判定処理）の詳細について説明する。リスクレベルの判定処理の内容は、リスク項目ごとに異なる。リスク項目ごとに影響する事象が異なるからである。例えば、熱射病であれば、年齢及び気温（高温）等が影響しうる。脳梗塞であれば、年齢及び気温（低温）等が影響しうる。トラクタ転倒事故であれば、トラクタ利用の有無、年齢、及び雨量等が影響しうる。有毒農薬被爆であれば、農薬散布作業の有無等が影響しうる。したがって、リスク項目ごとに、どのような事象が影響するかを検討し、該検討結果に基づいて、リスクレベルの判定処理の内容を決定すればよい。本実施の形態では、熱射病及びトラクタ転倒事故のそれぞれのリスク項目についてリスクレベルの判定処理の例を説明する。
【００５１】
図１２は、熱射病のリスクレベルの判定処理を説明するための図である。同図の熱射病リスク判定テーブル５１０は、補助記憶装置１０６において、気温と年齢との組み合わせごとにリスクレベルが記録されたテーブルである。リスクレベル判定部１１は、カレントリスク項目が熱射病である場合は、カレント作業者の年齢と、環境情報に含まれている気温（現在の気温）とを熱射病リスク判定テーブル５１０に当てはめることにより熱射病のリスクレベルを判定する。例えば、図１２に基づけば、作業者の年齢が３５歳、圃場の気温が２７℃の場合、熱射病発生リスクはレベル２と判定される。また、その後に圃場の気温が上昇し３０℃を超えると、リスクレベルはレベル３と判定される。
【００５２】
なお、気温又は年齢のいずれか一方のみに基づいて熱射病のリスクレベルを判定してもよい。または、他の事象（パラメータ）をも考慮して熱射病のリスクレベルを判定してもよい。図１２に示されるようなテーブルを利用した判定処理は、リスク項目に影響する事象（パラメータ）が二つ以下である場合に適している。
【００５３】
また、トラクタ転倒事故のように、３つ以上のパラメータが影響しうるリスク項目については、より複雑な計算アルゴリズムを用いてもよい。
【００５４】
図１３は、トラクタ転倒事故のリスクレベルの判定処理を説明するためのフローチャートである。
【００５５】
ステップＳ３０１において、リスクレベル判定部１１は、トラクタ転倒事故のリスクレベルの値を０に初期化する。続いて、リスクレベル判定部１１は、カレント作業者の作業情報に基づいて、トラクタの利用予定の有無を判定する（Ｓ３０２）。なお、作業情報として、トラクタの利用予定時間が指定されている場合は、現時点（図１３の処理の実行時）がトラクタの利用予定時間内であるか否かが判定されればよい。トラクタの利用予定が有る場合（Ｓ３０２でＹｅｓ）、リスクレベル判定部１１は、リスクレベルに１を加算する（Ｓ３０３）。続いて、リスクレベル判定部１１は、カレント作業者の作業者属性情報に含まれている年齢を確認する（Ｓ３０４）。カレント作業者が４１〜５０歳である場合、リスクレベル判定部１１は、リスクレベルに１を加算する（Ｓ３０５）。カレント作業者が５１歳異常である場合、リスクレベル判定部１１は、リスクレベルに２を加算する（Ｓ３０６）。続いて、リスクレベル判定部１１は、環境情報に含まれている雨量を確認する（Ｓ３０７）。雨量が２０ｍｍ以上である場合（Ｓ３０７でＹｅｓ）、リスクレベル判定部１１は、リスクレベルに１を加算する（Ｓ３０８）。
【００５６】
一方、トラクタの利用予定が無い場合（Ｓ３０２でＮｏ）、ステップＳ３０３以降は実行されない。したがって、この場合、リスクレベルはレベル０となる。トラクタを利用しない場合、トラクタによる転倒の可能性は無いからである。
【００５７】
なお、リスクレベルが最大値（レベル３）に達した場合、リスクレベルに対して加算が行われてもリスクレベルの値は増加しない。したがって、例えば、ステップＳ３０３、Ｓ３０６、及びＳ３０８が実行された場合、リスクレベルはレベル３となる。
【００５８】
他のリスク項目についても、影響するパラメータに基づいて、適切な処理手順によりリスクレベルを判定すればよい。
【００５９】
続いて、図８のステップＳ２０５の詳細について説明する。図１４は、リスクレベルの修正処理の処理手順を説明するためのフローチャートである。図１４の処理は、作業者ごと及びリスク項目ごとに、図８の処理と並行して実行される。例えば、リスクレベル修正部１２は、ステップＳ２０５が実行されるたびにリスクレベル判定部１１とは異なるスレッド又はプロセスとして起動されるようにしてもよい。この場合、ステップＳ２０５の開始時において、前回起動した各スレッド又はプロセスを停止するようにすればよい。
【００６０】
リスクレベル修正部１２は、図８のステップＳ２０５において呼び出されると（起動されると）、タイマー１０８より現在時刻を取得し、現在時刻を開始時刻としてメモリ装置１０３に記録する（Ｓ４０１）。その後、異常検知部１４より異常の発生の検知が通知されることなく（Ｓ４０２でＮｏ）、開示時刻から所定時間が経過すると（Ｓ４０３でＹｅｓ）、リスクレベル修正部１２は、リスクレベル管理テーブル１８に記録されているリスクレベルを１低下させる（Ｓ４０４）。ここで、低下対象となるリスクレベルは、当該リスクレベル修正部１２（当該スレッド又は当該プロセス）に対応する作業者のリスク項目に対するリスクレベルである。すなわち、リスクレベル修正部１２は、作業者ごと及びリスクレベルごとに並列的に図１４の処理を実行している。
【００６１】
続いて、リスクレベル修正部１２は、当該リスクレベルの低下により、自らに対応する作業者の最大リスクレベルが変化したか否かをリスクレベル管理テーブル１８に基づいて判定する（Ｓ４０５）。最大リスクレベルが変化した場合（Ｓ４０５でＹｅｓ）、リスクレベル修正部１２は、新たな最大リスクレベルの送信をリスクレベル送信部１３に実行させる（Ｓ４０６）。当該最大リスクレベルの送信先は、当該リスクレベル修正部１２に対応する作業者の作業者端末２０である。
【００６２】
一方、開始時刻から所定時間経過前に異常検知部１４より異常の発生が通知された場合（Ｓ４０２でＹｅｓ）、図１４の処理は終了する。例えば、リスクレベル修正部１２としてのスレッド又はプロセスは終了する。
【００６３】
リスクレベル修正部１２によって図１４に示されるような処理が実行されることにより、異常が所定時間発生しない作業者についてはリスクレベルは低下する。その結果、当該作業者のプライバシーの保護レベルを作業者の状態に応じて動的にかつ合理的に調節することができる。
【００６４】
なお、所定時間について複数の段階を設け、段階毎にリスクレベルを低下させるようにしてもよい。例えば、１５分、３０分、４５分と３段階設けた場合、各時間が経過する度にリスクレベルを低下させる。これによりリスクレベルを更に細かく調節することができる。但し、リスクレベルは０より小さい値には低下しない。また、所定時間については、入力装置１０７等を介して設定可能としてもよい。
【００６５】
続いて、図４のステップＳ１０６の詳細について説明する。図１５は、異常発生の検知処理の処理手順を説明するためのフローチャートである。同図の処理は、位置情報等が受信されるたびに実行される。
【００６６】
異常検知部１４は、或る作業者端末２０の位置情報送信部２４より位置情報及び作業者ＩＤを受信すると（Ｓ５０１）、受信された位置情報と、当該作業者ＩＤに関してメモリ装置１０３に既に記録されている位置情報とを比較し、作業者の移動の有無を判定する（Ｓ５０２）。以下、受信された位置情報をカレント位置情報といい、受信された作業者ＩＤをカレント作業者ＩＤという。
【００６７】
メモリ装置１０３に既に記録されている位置情報とは、以前の位置情報の受信時に、後述されるステップＳ５０３が実行されることによってメモリ装置１０３に記録された位置情報である。当該位置情報は、リスクレベル判定部１１又はリスクレベル修正部１２によって最大リスクレベルが更新されたときに初期化（クリア）される。したがって、ステップＳ５０２において比較される二つの位置情報の精度は一致する。但し、最大リスクレベルの更新に応じてメモリ装置１０３内の位置情報を初期化しなくてもよい。この場合、ステップＳ５０２において比較される二つの位置情報の精度は必ずしも一致しないため、二つの位置情報における包含関係が有無に応じて、移動の有無を判定すればよい。すなわち、二つの位置情報に包含関係が有る場合は、移動はしていないと判定すればよい。
【００６８】
比較された位置情報が一致しない場合（Ｓ５０２でＹｅｓ）、異常検知部１４は、カレント位置情報及びカレント作業者ＩＤと、現在時刻（時間情報）とを関連付けてメモリ装置１０３に記録し、図１５の処理を終了させる（Ｓ５０３）。なお、メモリ装置１０３に位置情報が記録されていない場合（位置情報がクリアされている場合）も比較された位置情報は一致しないと判定される。また、現在時刻は、タイマー１０８より取得される。
【００６９】
一方、比較された位置情報が一致する場合（Ｓ５０２でＮｏ）、異常検知部１４は、カレント作業者ＩＤに対応する最大リスクレベルをリスクレベル管理テーブル１８より取得する（Ｓ５０４）。続いて、異常検知部１４は、最大リスクレベルに応じた異常検知間隔を異常検知判断テーブル１９より取得する（Ｓ５０５）。
【００７０】
図１６は、異常検知判断テーブルの構成例を示す図である。同図において、異常検知判断テーブル１９には、最大リスクレベルごとに異常検知間隔が記録されている。異常検知間隔は、同一の作業者端末２０（同一の作業者）の位置が変化しない時間がどの程度継続したら異常と判断するかを示す情報である。同図の例では、最大リスクレベルが低い程、異常検知間隔は長く設定されている。例えば、レベル０に対する異常検知間隔は１２０分であり、レベル３に対する異常検知間隔は５分とされている。これは、最大リスクレベルが低い程、位置情報の精度が低いことに起因する。すなわち、位置情報の精度が低い程、作業者の実際の移動に対する位置情報の感度は鈍くなる。そうすると、最大リスクレベルが０の作業者については、例えば、実際にはエリアＡＤ内において移動しているにも拘わらず、位置情報に基づくと移動していないと判定されうる。したがって、仮に、最大リスクレベルの違いを考慮せずに一律の間隔を基準として位置情報の変化の有無を判定すると、最大リスクレベルが低い作業者については頻繁に異常の発生が検知されてしまう。そこで、本実施の形態では、斯かる不都合を解消すべく、位置情報の精度の低下に応じて、異常検知間隔を長くしているのである。すなわち、位置情報の尺度と異常検知間隔の尺度とを整合させることにより、作業者の移動という事象の発生を適切に把握可能としているのである。これによって、最大リスクレベルが高い作業者については、位置情報の精度を高くし、かつ位置変化の有無を判定する時間間隔を短くすることにより、早期に異常を検出することができる。最大リスクレベルが低い作業者については、位置情報監視の精度を低くし、かつ位置変化の有無を判定する時間間隔を長くすることにより、プライバシーを守りつつ頻繁に異常の発生が検知されることを防いでいる。なお、レベル０に対する異常検知間隔は０又は空（指定されていない状態）であってもよい。この場合、異常検知部１４は、ステップＳ５０６以降の処理は実行しない。したがって、異常の検知は行われない。
【００７１】
続いて、異常検知部１４は、カレント作業者ＩＤに対してメモリ装置１０３に記録されている時間情報が示す時刻から、異常検知間隔分の時間が経過しているか否かを判定する（Ｓ５０６）。すなわち、現時点においてタイマー１０８が示す時刻が、レント作業者ＩＤに対してメモリ装置１０３に記録されている時間情報が示す時刻に異常検知間隔を加算した時刻を経過しているか否かが判定される。
【００７２】
異常検知間隔分の時間が経過している場合（Ｓ５０６でＹｅｓ）、異常検知部１４は、カレント作業者ＩＤに対応するリスクレベル修正部１２に異常の発生を検知したこととカレント作業者ＩＤとを通知する（Ｓ５０７）。続いて、異常検知部１４は、作業者ＩＤに対応する名前を作業者属性記憶部１６より取得し、当該名前の作業者に異常が発生したことを示すメッセージ又は画面等を表示装置１０６に表示させる（Ｓ５０８）。
【００７３】
ところで、位置情報の精度の変換は、必ずしも作業者端末２０に実行されなくてもよい。例えば、作業者端末２０と監視サーバ１０とを中継する位置に設置されるＰＣ（Personal Computer）等のコンピュータ（以下、「位置情報変換装置」という。）によって実行されてもよい。
【００７４】
図１７は、本発明の実施の形態における作業者監視システムの第二の構成例を示す図である。図１７中、図１と同一部分には同一符号を付し、その説明は省略する。
【００７５】
同図の作業者監視システム２において、位置情報変換装置３０は、リスクレベル受信部２２、位置情報変換部２３、位置情報送信部２４、及び位置情報変換テーブル２５を有する。また、作業者端末２０ａは、位置情報検出部２１を有する。位置情報検出部２１は、検出した位置情報を位置情報変換装置３０の位置情報変換部２３に送信する。
【００７６】
すなわち、作業者監視システム２では、位置情報変換装置３０によって作業者端末２０ａの位置情報の精度の変換が行われる。斯かる構成によれば、複数の作業者端末２０ａに関する位置情報の精度の変換処理を位置情報変換装置３０に集約させることができる。その結果、各作業者端末２０ａの処理負荷が軽減され、リソースの乏しい端末であっても作業者端末２０ａとして利用することができる。また、位置情報変換テーブル２５等の保守作業等を簡便化することができる。
【００７７】
なお、位置情報変換装置３０が有する機能（位置情報変換機能）を監視サーバ１０に実装させることもできる。但し、この場合、作業者端末２０ａに関する生の位置情報（精度が調節されていない位置情報）が監視サーバ１０に入力されることになる。そうすると、監視サーバ１０の構成を変化させることで、管理者等は、精度の変換前の位置情報を入手することができる。斯かる点に鑑みれば、位置情報機能は、監視サーバ２０外に実装されていることが望ましい。
【００７８】
上述したように、本実施の形態における作業者監視システム１によれば、作業者のリスクレベルに応じて監視サーバ１０に通知される位置情報の精度が調節される。より詳しくは、リスクレベルが高い作業者については精度が高い位置情報が通知され、リスクレベルが低い作業者については精度が低い位置情報が通知される。換言すれば、リスクレベルが高い作業者については精度の高い位置情報に基づく異常の検知が優先され、リスクレベルが低い作業者についてはプライバシーの確保が優先される。したがって、作業者の安全性の確保とプライバシーの確保とのバランスを適切に図ることができる。
【００７９】
また、リスクレベルは、リスク項目（異常状態の種別）ごとに判定され、その最大値が位置情報の精度の調節に利用される。すなわち、複数のリスク項目の中で、最も危険性の高いリスク項目を基準として位置情報が調節される。したがって、作業者の安全性を適切に確保することができる。
【００８０】
なお、上記では、位置情報の精度について、作業者端末２０の実際の位置に対する精度（すなわち、空間的な曖昧さ）を問題として説明した。しかしながら、位置情報の精度が持つ意味はこれだけに限られない。例えば、作業者端末２０が監視サーバ１０に対して位置情報を通知する間隔（通知間隔）の違いによっても位置情報の精度は変化する。すなわち、通知間隔が長い場合は短い場合に比べて位置情報の精度は低い。通知間隔の増加により、位置情報の時間の経過に対する曖昧さが増加するからである。したがって、位置情報の精度の変換には、空間的な曖昧さの調節だけでなく、時間の経過に対する曖昧さの調節も含まれる。
【００８１】
具体的には、位置情報変換部２３は、リスクレベルが低くなればなるほど位置情報の通知間隔を長くするようにしてもよい。但し、リスクレベルに応じた通知間隔は、異常検知判断テーブル１９おいてリスクレベルごとに管理されている異常検知間隔より短くする必要がある。そうしないと、常に異常が発生したものと誤認されてしまうからである。
【００８２】
このように、リスクレベルに応じて、どのような具体的に精度の位置情報を通知するかは、状況によって変わり、必ずしも固定的に決まるわけではない。
【００８３】
なお、本実施の形態では、圃場における作業者を被監視者とした例について説明したが、作業者監視システム１又は２による監視対象は、圃場の作業者に限られない。例えば、工事現場の作業者であってもよいし、営業マンであってもよい。また、被監視者は、作業に従事する人に限られない。例えば、教育（学校等）、医療（病院等）、又は福祉関係の分野において作業者監視システム１又は２を適用してもよい。すなわち、作業者監視システム１又は２の被監視者は、移動していない状態が或る程度継続した場合に異常である可能性のある人であればよい。
【００８４】
以上、本発明の実施例について詳述したが、本発明は斯かる特定の実施形態に限定されるものではなく、特許請求の範囲に記載された本発明の要旨の範囲内において、種々の変形・変更が可能である。
【００８５】
以上の説明に関し、更に以下の項を開示する。
（付記１）
被監視者によって携帯される端末と該被監視者の異常の有無を監視する監視装置とを有する監視システムであって、
前記監視装置は、
被監視者ごとの異常が発生する危険度を保持するリスクレベル管理テーブルを参照して、前記被監視者に異常が発生する危険度を判定する危険度判定部と、
前記危険度判定部において判定された前記危険度を、前記被監視者によって携帯される前記端末に送信する危険度情報送信部と、
前記端末より送信される位置情報を受信する位置情報受信部と、
前記位置情報受信部において受信された前記位置情報が、前記危険度に応じて設定される所定期間の間変化しない場合に、前記被監視者に異常が発生したと判断する異常検知部と、
前記異常検知部において異常が発生したと判断された場合に、異常を検知した旨の情報を出力する出力部とを有し、
前記端末は、
位置情報を検出する位置検出部と、
前記危険度情報送信部より送信される前記危険度を受信する危険度情報受信部と、
前記位置検出部において検出された前記位置情報の精度を、前記危険度情報受信部において受信された前記危険度に応じて調節する位置情報変換部と、
前記位置情報変換部において精度が調節された位置情報を前記監視装置に送信する位置情報送信部とを有する監視システム。
（付記２）
前記異常検知部は、前記所定期間として、前記危険度が高いほど短い期間を設定すること、および、前記位置情報変換部は、前記位置情報の精度を、前記危険度が高いほど高い精度に調節すること、を特徴とする付記１記載の監視システム。
（付記３）
前記監視装置は、前記異常検知部による前記被監視者に異常が発生したとの判断が所定期間なされない場合に、該被監視者の前記危険度を低下させる危険度修正部を有し、
前記危険度情報送信部は、前記危険度修正部によって低下された前記危険度を、前記被監視者が携帯する前記端末に送信する付記１又は２記載の監視システム。
（付記４）
前記リスクレベル管理テーブルは、各被監視者について、複数の異常の種別ごとに、異常が発生する危険度を保持するとともに、各危険度は所定の危険度決定情報の変化に基づいて更新されること、
前記危険度判定部は、前記被監視者の前記異常の種別ごとに前記危険度を判定すること、および、
前記危険度情報送信部は、前記被監視者について、前記異常の種別ごとに判定された前記危険度の中で最も高い危険度を該被監視者が携帯する前記端末に送信すること、を特徴とする付記１乃至３いずれか一項記載の監視システム。
（付記５）
被監視者によって携帯される端末と、該被監視者の異常の有無を監視する監視装置と、位置情報変換装置とを有する監視システムであって、
前記監視装置は、
被監視者ごとの異常が発生する危険度を保持するリスクレベル管理テーブルを参照して、前記被監視者に異常が発生する危険度を判定する危険度判定部と、
前記危険度判定部において判定された危険度を、前記位置情報変換装置に送信する危険度情報送信部と、
前記位置情報変換装置より送信される、前記端末の位置情報を受信する位置情報受信部と、
前記位置情報受信部において受信された前記位置情報が、前記危険度に応じて設定される所定期間変化しない場合に、前記端末を携帯する被監視者に異常が発生したと判断する異常検知部と、
前記異常検知部において異常が発生したと判断された場合に、異常を検知した旨の情報を出力する出力部とを有し、
前記端末は、
位置情報を検出する位置検出部と、
前記位置検出部において検出された前記位置情報を、前記位置情報変換装置へ送信する位置情報送信部とを有し、
前記位置情報変換装置は、
前記監視装置の危険度情報送信部より送信される前記危険度を受信する危険度情報受信部と、
前記端末より送信される前記位置情報を受信する位置情報受信部と、
前記位置情報受信部において受信された前記位置情報の精度を、前記危険度情報受信部において受信された、前記危険度に応じて調節する位置情報変換部と、
前記位置情報変換部において精度が調節された位置情報を前記監視装置に送信する位置情報送信部とを有する監視システム。
（付記６）
被監視者によって携帯される端末から送信される該端末の位置情報に基づいて該被監視者の異常の有無を監視する監視装置であって、
被監視者ごとの異常が発生する危険度を保持するリスクレベル管理テーブルを参照して、前記被監視者に異常が発生する危険度を判定する危険度判定部と、
前記端末より送信される位置情報を受信する位置情報受信部と、
前記位置情報受信部において受信した前記位置情報の精度を、前記危険度判定部において判定された前記危険度に応じて調節する位置情報変換部と、
前記位置情報変換部において精度が調節された前記位置情報が、前記危険度に応じて設定される所定期間変化しない場合に、前記被監視者に異常が発生したと判断する異常検知部と、
前記異常検知部において異常が発生したと判断された場合に、異常を検知した旨の情報を出力する出力部、
とを有する監視装置。
（付記７）
被監視者によって携帯される端末と該被監視者の異常の有無を監視する監視装置とを有する監視システムが実行する監視方法であって、
前記監視装置は、
被監視者ごとの異常が発生する危険度を保持するリスクレベル管理テーブルを参照して、前記被監視者に異常が発生する危険度を判定する危険度判定手順と、
前記危険度判定手順において判定された前記危険度を、前記被監視者によって携帯される前記端末に送信する危険度情報送信手順と、
前記端末より送信される位置情報を受信する位置情報受信手順と、
前記位置情報受信手順において受信された前記位置情報が、前記危険度に応じて設定される所定期間の間変化しない場合に、前記被監視者に異常が発生したと判断する異常検知手順と、
前記異常検知手順において異常が発生したと判断された場合に、異常を検知した旨の情報を出力する出力手順とを実行し、
前記端末は、
位置情報を検出する位置検出手順と、
前記危険度情報送信手順において送信される前記危険度を受信する危険度情報受信手順と、
前記位置検出手順において検出された前記位置情報の精度を、前記危険度情報受信手順において受信された前記危険度に応じて調節する位置情報変換手順と、
前記位置情報変換手順において精度が調節された位置情報を前記監視装置に送信する位置情報送信手順とを実行する監視方法。
（付記８）
被監視者によって携帯される端末と、該被監視者の異常の有無を監視する監視装置と、位置情報変換装置とを有する監視システムが実行する監視方法であって、
前記監視装置は、
被監視者ごとの異常が発生する危険度を保持するリスクレベル管理テーブルを参照して、前記被監視者に異常が発生する危険度を判定する危険度判定手順と、
前記危険度判定手順において判定された危険度を、前記位置情報変換装置に送信する危険度情報送信手順と、
前記位置情報変換装置より送信される、前記端末の位置情報を受信する位置情報受信手順と、
前記位置情報受信手順において受信された前記位置情報が、前記危険度に応じて設定される所定期間変化しない場合に、前記端末を携帯する被監視者に異常が発生したと判断する異常検知手順と、
前記異常検知手順において異常が発生したと判断された場合に、異常を検知した旨の情報を出力する出力手順とを実行し、
前記端末は、
位置情報を検出する位置検出手順と、
前記位置検出手順において検出された前記位置情報を、前記位置情報変換装置へ送信する位置情報送信手順とを実行し、
前記位置情報変換装置は、
前記監視装置の危険度情報送信手順において送信される前記危険度を受信する危険度情報受信手順と、
前記端末より送信される前記位置情報を受信する位置情報受信手順と、
前記位置情報受信手順において受信された前記位置情報の精度を、前記危険度情報受信手順において受信された、前記危険度に応じて調節する位置情報変換手順と、
前記位置情報変換手順において精度が調節された位置情報を前記監視装置に送信する位置情報送信手順とを実行する監視方法。
（付記９）
被監視者によって携帯される端末から送信される該端末の位置情報に基づいて該被監視者の異常の有無を監視する監視装置が実行する監視方法であって、
被監視者ごとの異常が発生する危険度を保持するリスクレベル管理テーブルを参照して、前記被監視者に異常が発生する危険度を判定する危険度判定手順と、
前記端末より送信される位置情報を受信する位置情報受信手順と、
前記位置情報受信手順において受信した前記位置情報の精度を、前記危険度判定手順において判定された前記危険度に応じて調節する位置情報変換手順と、
前記位置情報変換手順において精度が調節された前記位置情報が、前記危険度に応じて設定される所定期間変化しない場合に、前記被監視者に異常が発生したと判断する異常検知手順と、
前記異常検知手順において異常が発生したと判断された場合に、異常を検知した旨の情報を出力する出力手順、
とを有する監視方法。
（付記１０）
コンピュータに、
被監視者ごとの異常が発生する危険度を保持するリスクレベル管理テーブルを参照して、前記被監視者に異常が発生する危険度を判定する危険度判定手順と、
被監視者によって携帯される端末より送信される位置情報を受信する位置情報受信手順と、
前記位置情報受信手順において受信した前記位置情報の精度を、前記危険度判定手順において判定された前記危険度に応じて調節する位置情報変換手順と、
前記位置情報変換手順において精度が調節された前記位置情報が、前記危険度に応じて設定される所定期間変化しない場合に、前記被監視者に異常が発生したと判断する異常検知手順と、
前記異常検知手順において異常が発生したと判断された場合に、異常を検知した旨の情報を出力する出力手順、
とを実行させるためのプログラム。
【符号の説明】
【００８６】
１            作業者監視システム
１０          監視サーバ
１１          リスクレベル判定部
１２          リスクレベル修正部
１３          リスクレベル送信部
１４          異常検知部
１５          環境情報記憶部
１６          作業者属性記憶部
１７          作業情報記憶部
１８          リスクレベル管理テーブル
１９          異常検知判断テーブル
２０          作業者端末
２１          位置情報検出部
２２          リスクレベル受信部
２３          位置情報変換部
２４          位置情報送信部
２５          位置情報変換テーブル
１００        ドライブ装置
１０１        記録媒体
１０２        補助記憶装置
１０３        メモリ装置
１０４        ＣＰＵ
１０５        通信インタフェース装置
１０６        表示装置
１０７        入力装置
１０８        タイマー
２０１        ＲＯＭ
２０２        不揮発性ＲＡＭ
２０３        ＲＡＭ
２０４        ＣＰＵ
２０５        通信インタフェース
２０６        表示装置
２０７        入力装置
２０８        位置検出装置
Ｂ            バス
【図１】
2010277444.tif 000003
【図２】
2010277444.tif 000004
【図３】
2010277444.tif 000005
【図４】
2010277444.tif 000006
【図５】
2010277444.tif 000007
【図６】
2010277444.tif 000008
【図７】
2010277444.tif 000009
【図８】
2010277444.tif 000010
【図９】
2010277444.tif 000011
【図１０】
2010277444.tif 000012
【図１１】
2010277444.tif 000013
【図１２】
2010277444.tif 000014
【図１３】
2010277444.tif 000015
【図１４】
2010277444.tif 000016
【図１５】
2010277444.tif 000017
【図１６】
2010277444.tif 000018
【図１７】
2010277444.tif 000019